(57)【要約】【課題】組み立て作業が容易でコストダウンが可能であり、レバー本体のがたつきや浮き上がりを生じることのないシフトレバー装置を提供する。【解決手段】レバー本体に設けられた大球部を、リテーナ１とカバー７との間に形成された球面座に支持させ、レバー本体をシフト方向及びセレクト方向に揺動可能としたシフトレバーである。カバー７の一端には係合爪１４が設けられ、他端にリテーナ１の側面から圧入されるピンの挿通孔１６を設ける。カバー７の係合爪１４をリテーナ１の上部に形成された係合孔１５に挿入したうえ、ピンの挿通孔１６をリテーナ側の挿通孔１７と位置合わせし、ピンを圧入することによってカバー７をリテーナ１に固定する。【選択図】図５
2007302106.tif 000002
【特許請求の範囲】
【請求項１】
レバー本体に設けられた大球部をリテーナとカバーとの間に形成された球面座に支持してレバー本体をシフト方向及びセレクト方向に揺動可能としたシフトレバーにおいて、このカバーの一端にリテーナの上部に形成された係合孔に挿入される係合爪を設けるとともに、他端にリテーナの側面から圧入されるピンの挿通孔を設け、これらの係合爪とピンとによってカバーをリテーナに固定したことを特徴とするシフトレバー装置。
【請求項２】
係合爪の上面をフラット面、下面を先細の傾斜面としたことを特徴とする請求項１記載のシフトレバー装置。
【請求項３】
リテーナに形成された係合孔の下面の先端側を逃がし形状とし、係合爪の基部側のみに接触する構造としたことを特徴とする請求項２記載のシフトレバー装置。
【請求項４】
カバーのレバー本体が貫通する窓孔の周囲を箱型形状とし、ねじれ剛性を高めたことを特徴とする請求項１記載のシフトレバー装置。
【発明の詳細な説明】
【技術分野】
【０００１】
本発明は、フロアシフトタイプのマニュアルトランスミッション用のシフトレバー装置に関するものである。
【背景技術】
【０００２】
マニュアルトランスミッション用のシフトレバー装置としては、レバー本体をリテーナに対してシフト方向及びセレクト方向に揺動可能に支持し、レバー本体のシフト方向の位置をレバー本体の下端に接続されたシフトケーブルによりトランスミッションに伝達するとともに、レバー本体のセレクト方向の動きをセレクトピンによってセレクトレバーの揺動に変換し、セレクトレバーに接続されたセレクトケーブルによりトランスミッションに伝達する構造のものが一般的（特許文献１）である。
【０００３】
このようにレバー本体をリテーナに対してシフト方向及びセレクト方向に揺動可能に支持させるために、レバー本体には大球と呼ばれる球体が設けられており、この大球をリテーナとカバーとの間に形成された球面座で受けている。球面座の下半部はリテーナ側に組付けられており、上半部はカバー側に設けられ、球面座内にレバー本体の大球を入れたうえでカバーをリテーナに固定することによって、レバー本体をリテーナに取付けている。
【０００４】
このカバーは、シフトレバーの操作力によってがたつきや浮き上がりを生じないように、前後にそれぞれピン挿通孔を備え、リテーナに形成されたピン挿通孔とこれらを一致させたうえで２本のピンを圧入することで、リテーナに固定される構造が一般的である。この構造はカバーの確実な固定が可能であるが、組み立て工程で２本のピンを圧入しなければならず、組み立て作業に時間がかかり、また組み立てコストが高く付くという問題があった。
【特許文献１】特開平１０-１６６８７９号公報
【発明の開示】
【発明が解決しようとする課題】
【０００５】
本発明は上記した従来の問題点を解決し、従来よりも組み立て作業が容易でコストダウンが可能であり、しかもレバー本体のがたつきや浮き上がりを生じることのないシフトレバー装置を提供するためになされたものである。
【課題を解決するための手段】
【０００６】
上記の課題を解決するためになされた本発明のシフトレバー装置は、レバー本体に設けられた大球部をリテーナとカバーとの間に形成された球面座に支持してレバー本体をシフト方向及びセレクト方向に揺動可能としたシフトレバーにおいて、このカバーの一端にリテーナの上部に形成された係合孔に挿入される係合爪を設けるとともに、他端にリテーナの側面から圧入されるピンの挿通孔を設け、これらの係合爪とピンとによってカバーをリテーナに固定したことを特徴とするものである。
【０００７】
なお、係合爪の上面をフラット面、下面を先細の傾斜面とすることが好ましく、リテーナに形成された係合孔の下面の先端側を逃がし形状とし、係合爪の基部側のみに接触する構造とすることが好ましい。また、カバーのレバー本体が貫通する窓孔の周囲を箱型形状とし、ねじれ剛性を高めた構造とすることが好ましい。さらに、カバーの挿通孔に圧入されるピンが、セレクトレバーをリテーナに揺動自在に支持するピンと同一のピンとすることができる。
【発明の効果】
【０００８】
本発明のシフトレバー装置は、係合爪とピンとによってカバーをリテーナに固定する構造であり、一端の係合爪はリテーナの上部に形成された係合孔に挿入するだけでよいので、ピンの圧入は１回で済み、組み立て作業が容易でコストダウンを図ることができる。しかもピンの圧入後は、レバー本体のがたつきや浮き上がりを生じることもない。
【０００９】
なお、請求項２のように係合爪の上面をフラット面とし、下面を先細の傾斜面とすれば、係合爪をリテーナの係合孔に挿入し易くなり、作業性が向上する。また、請求項３のようにリテーナに形成された係合孔の下面の先端側を逃がし形状とし、係合爪の基部側のみに接触する構造とすれば、先細となった係合爪の先端部に荷重がかかることがなく、係合爪の折損を防止できる。また、請求項４のようにカバーのレバー本体が貫通する窓孔の周囲を箱型形状とし、ねじれ剛性を高めることにより、レバー本体のがたつきや浮き上がりをより確実に防止することができる。さらに請求項５のようにカバーの挿通孔に圧入されるピンをセレクトレバーをリテーナに揺動自在に支持するピンと同一のピンとすれば、部品の共用化によってコストダウンを図ることができる。
【発明を実施するための最良の形態】
【００１０】
以下に本発明の好ましい実施形態を示す。
図１は本発明の実施形態を示す正面図、図２はその平面図、図３は断面図である。これらの図において、１は樹脂製のリテーナであり、四隅のマウントゴム２の部分を図示しないボルトにより自動車のフロアパネルに固定する構造となっている。３はレバー本体であり、その下方部の外周には大球４が固定されている。レバー本体３は、この大球４をリテーナ１の上部の球面座５に支持させることにより、シフト方向（車体前後方向）及びセレクト方向（車体横方向）に揺動可能となっている。
【００１１】
球面座５は、リテーナ１の上部に形成された凹部に嵌め込まれたシート６と、その上部を覆うカバー７との間に形成されている。シート６は球面座５の下半分を構成する球面状凹部を備え、カバー７は球面座５の上半分を構成する球面状凹部を備えている。カバー７の構造及びリテーナ１への固定方法については後述する。シート６とカバー７にはレバー本体３の揺動を許容する窓孔８，９がそれぞれ形成されているので、大球４を球面座５に支持させたレバー本体３はシフト方向及びセレクト方向に揺動することができる。
【００１２】
図１に示すように、レバー本体３の下端にはブッシュ１０が設けられており、図示しないシフトケーブルが接続されている。このためレバー本体３のシフト方向の動きはシフトケーブルによりトランスミッションに伝達される。また大球４の側方にはセレクトレバー１１が一体に設けられている。このセレクトレバー１１の先端はリテーナ１の側面にピン１２によって枢着されたセレクトアーム１３と係合している。このためレバー本体３を図３に示すようにセレクト方向に動かすとセレクトレバー１１の先端が上下し、セレクトアーム１３を前後方向に揺動させる。この動きをセレクトアーム１３の下端に接続した図示しないセレクトケーブルによりトランスミッションに伝達する。
【００１３】
以上の構成は従来のシフトレバー装置と同様であるが、本発明はカバー７の構造及びリテーナ１への固定方法に特徴を有するので、この点につき詳細に説明する。図４に示すように、実施形態のカバー７は全体がほぼ四角形の樹脂製一体成形品であり、レバー本体３が貫通する窓孔９の周囲を箱型形状としてねじれ剛性を高めている。カバー７の一端には係合爪１４が突設されている。この係合爪１４はリテーナ１の上部に形成された係合孔１５に挿入されるものである。実施形態では係合爪１４は２本である。またカバー７の他端には、ピン１２の挿通孔１６が設けられている。
【００１４】
そこで、レバー本体３をカバー７の窓孔９に通した状態で、図５のように係合爪１４をリテーナ１の上部に形成された係合孔１５に挿入したうえ、カバー７の他端をリテーナ１に向かって下げ、挿通孔１６をリテーナ１の挿通孔１７と位置合わせした状態でピン１２を側方から圧入することによって、図６のようにカバー７をリテーナ１に取付けることができる。このように１回のピン圧入によってカバー７を取付けることができるため、組み立て作業が容易となってコストダウンが可能である。しかもピン１２の圧入後は、カバー７が浮き上がったりがたついたりすることはない。またこの実施形態ではカバー７の固定をセレクトレバー１１の揺動軸となるピン１２を利用して行わせているので、それぞれ別のピンを圧入する必要がなくなり、部品共用によるコストダウンも可能である。
【００１５】
なお、図５に示すように係合爪１４の上面をフラット面、下面を先細の傾斜面としておけば、リテーナ１の上部に形成された係合孔１５に挿入し易くなり、組立て作業性が向上する。また図７に示すように、リテーナ１に形成された係合孔１５の下面の先端側を逃がし形状とし、係合爪１４の基部側のみに接触する構造とすれば、先細となった係合爪１４の先端部に荷重がかかることが防止でき、係合爪１４の折損や変形によるガタツキを防止することができる。
【００１６】
カバー７の形状については様々な変形が可能であり、たとえば図８に示すように、側方に半円状の隆起１８を形成したカバー７としてもよい。この隆起１８の内面は図８（d）に示すように斜面とし、レバー本体３のセレクト方向のストロークを規制する機能を発揮することができる。図８のカバー７も前記のものと同様、係合爪１４と挿通孔１６を備え、同一の方法でリテーナ１に固定されるものである。
【００１７】
上記したように、本発明のシフトレバー装置は、係合爪１４とピン１２とによってカバー７をリテーナ１に固定する構造としたので、従来よりも組み立て作業が容易でコストダウンが可能であり、しかもレバー本体のがたつきや浮き上がりを生じることのない利点がある。
【図面の簡単な説明】
【００１８】
【図１】本発明の実施形態を示す正面図である。
【図２】本発明の実施形態を示す平面図である。
【図３】本発明の実施形態を示す断面図である。
【図４】カバーの斜視図である。
【図５】係合爪の先端を係合孔に挿入した状態を示す正面図である。
【図６】カバーの取付状態を示す正面図である。
【図７】要部の拡大断面図である。
【図８】カバーの変形例を示す図であり、（a）は平面図、（b）は正面図、（c）はＡ−Ａ断面図、（d）はＢ−Ｂ断面図である。
【符号の説明】
【００１９】
１  リテーナ
２  マウントゴム
３  レバー本体
４  大球
５  球面座
６  シート
７  カバー
８  窓孔
９  窓孔
１０  ブッシュ
１１  セレクトレバー
１２  ピン
１３  セレクトアーム
１４  係合爪
１５  係合孔
１６  挿通孔
１７  挿通孔
１８  隆起
【図１】
2007302106.tif 000003
【図２】
2007302106.tif 000004
【図３】
2007302106.tif 000005
【図４】
2007302106.tif 000006
【図５】
2007302106.tif 000007
【図６】
2007302106.tif 000008
【図７】
2007302106.tif 000009
【図８】
2007302106.tif 000010
【手続補正書】
【提出日】平成18年5月18日(2006.5.18)
【手続補正１】
【補正対象書類名】特許請求の範囲
【補正対象項目名】全文
【補正方法】変更
【補正の内容】
【特許請求の範囲】
【請求項１】
レバー本体に設けられた大球部をリテーナとカバーとの間に形成された球面座に支持してレバー本体をシフト方向及びセレクト方向に揺動可能としたシフトレバーにおいて、このカバーの一端にリテーナの上部に形成された係合孔に挿入される係合爪を設けるとともに、他端にリテーナの側面から圧入されるピンの挿通孔を設け、これらの係合爪とピンとによってカバーをリテーナに固定したことを特徴とするシフトレバー装置。
【請求項２】
係合爪の上面をフラット面、下面を先細の傾斜面としたことを特徴とする請求項１記載のシフトレバー装置。
【請求項３】
リテーナに形成された係合孔の上面の先端側を逃がし形状とし、係合爪の基部側のみに接触する構造としたことを特徴とする請求項２記載のシフトレバー装置。
【請求項４】
カバーのレバー本体が貫通する窓孔の周囲を箱型形状とし、ねじれ剛性を高めたことを特徴とする請求項１記載のシフトレバー装置。
【手続補正２】
【補正対象書類名】明細書
【補正対象項目名】０００２
【補正方法】変更
【補正の内容】
【０００２】
マニュアルトランスミッション用のシフトレバー装置としては、レバー本体をリテーナに対してシフト方向及びセレクト方向に揺動可能に支持し、レバー本体のシフト方向の位置をレバー本体の下端に接続されたシフトケーブルによりトランスミッションに伝達するとともに、レバー本体のセレクト方向の動きをセレクトピンによってセレクトアームの揺動に変換し、セレクトアームに接続されたセレクトケーブルによりトランスミッションに伝達する構造のものが一般的（特許文献１）である。
【手続補正３】
【補正対象書類名】明細書
【補正対象項目名】０００７
【補正方法】変更
【補正の内容】
【０００７】
なお、係合爪の上面をフラット面、下面を先細の傾斜面とすることが好ましく、リテーナに形成された係合孔の上面の先端側を逃がし形状とし、係合爪の基部側のみに接触する構造とすることが好ましい。また、カバーのレバー本体が貫通する窓孔の周囲を箱型形状とし、ねじれ剛性を高めた構造とすることが好ましい。さらに、カバーの挿通孔に圧入されるピンが、セレクトアームをリテーナに揺動自在に支持するピンと同一のピンとすることができる。
【手続補正４】
【補正対象書類名】明細書
【補正対象項目名】０００９
【補正方法】変更
【補正の内容】
【０００９】
なお、請求項２のように係合爪の上面をフラット面とし、下面を先細の傾斜面とすれば、係合爪をリテーナの係合孔に挿入し易くなり、作業性が向上する。また、請求項３のようにリテーナに形成された係合孔の上面の先端側を逃がし形状とし、係合爪の基部側のみに接触する構造とすれば、先細となった係合爪の先端部に荷重がかかることがなく、係合爪の折損を防止できる。また、請求項４のようにカバーのレバー本体が貫通する窓孔の周囲を箱型形状とし、ねじれ剛性を高めることにより、レバー本体のがたつきや浮き上がりをより確実に防止することができる。さらに請求項５のようにカバーの挿通孔に圧入されるピンをセレクトアームをリテーナに揺動自在に支持するピンと同一のピンとすれば、部品の共用化によってコストダウンを図ることができる。
【手続補正５】
【補正対象書類名】明細書
【補正対象項目名】００１４
【補正方法】変更
【補正の内容】
【００１４】
そこで、レバー本体３をカバー７の窓孔９に通した状態で、図５のように係合爪１４をリテーナ１の上部に形成された係合孔１５に挿入したうえ、カバー７の他端をリテーナ１に向かって下げ、挿通孔１６をリテーナ１の挿通孔１７と位置合わせした状態でピン１２を側方から圧入することによって、図６のようにカバー７をリテーナ１に取付けることができる。このように１回のピン圧入によってカバー７を取付けることができるため、組み立て作業が容易となってコストダウンが可能である。しかもピン１２の圧入後は、カバー７が浮き上がったりがたついたりすることはない。またこの実施形態ではカバー７の固定をセレクトアーム１３の揺動軸となるピン１２を利用して行わせているので、それぞれ別のピンを圧入する必要がなくなり、部品共用によるコストダウンも可能である。
【手続補正６】
【補正対象書類名】明細書
【補正対象項目名】００１５
【補正方法】変更
【補正の内容】
【００１５】
なお、図５に示すように係合爪１４の上面をフラット面、下面を先細の傾斜面としておけば、リテーナ１の上部に形成された係合孔１５に挿入し易くなり、組立て作業性が向上する。また図７に示すように、リテーナ１に形成された係合孔１５の上面の先端側を逃がし形状とし、係合爪１４の基部側のみに接触する構造とすれば、先細となった係合爪１４の先端部に荷重がかかることが防止でき、係合爪１４の折損や変形によるガタツキを防止することができる。